(57)【要約】【課題】火災受信機を省スペース化することができ、部品が少なく、コストダウンになる火災受信機を提供することを目的とするものである。【解決手段】火災受信機の外部に移報出力する複数の出力用接点と、火災受信機の外部から移報入力する複数の入力用接点と、複数の移報情報のそれぞれが、上記複数の出力用接点のそれぞれに割り振られ、また、複数の移報情報のそれぞれが、上記複数の入力用接点のそれぞれに割り振られているデータベースと、所定の移報情報を、上記データベースで割り振られている上記出力用接点を介して移報出力させ、また、所定の移報情報が入力された入力用接点と上記データベースとに応じて、上記入力された移報情報の内容を確認し、この確認された移報情報の内容に応じた処理を実行する制御手段とを有する火災受信機である。【選択図】図７
2007323194.tif 000002
【特許請求の範囲】
【請求項１】
火災受信機の外部に移報出力する複数の出力用接点と；
火災受信機の外部から移報入力する複数の入力用接点と；
複数の移報情報のそれぞれが、上記複数の出力用接点のそれぞれに割り振られ、また、複数の移報情報のそれぞれが、上記複数の入力用接点のそれぞれに割り振られているデータベースと；
所定の移報情報を、上記データベースで割り振られている上記出力用接点を介して移報出力させ、また、所定の移報情報が入力された入力用接点と上記データベースとに応じて、上記入力された移報情報の内容を確認し、この確認された移報情報の内容に応じた処理を実行する制御手段と；
を有することを特徴とする火災受信機。
【発明の詳細な説明】
【技術分野】
【０００１】
本発明は、火災受信機に関する。
【背景技術】
【０００２】
火災時に，非常放送設備に、移報信号を出力する火災受信機が知られている（たとえば、特許文献１参照）。
【０００３】
従来の火災受信機では、火災受信機の内部の状態変化等に応じて、各種情報を外部に移報出力し、また、外部からの情報を移報入力する接点が設けられている。
【０００４】
図８は、従来の移報入出力用接点基板ＴＢ１１を示す図である。
【０００５】
従来の移報入出力用接点基板ＴＢ１１には、ガスもれ出力信号〜移報遮断中出力信号を出力する１３個の移報出力用接点と、火災断定入力信号を入力する１つの移報入力用接点とが設けられ、これらはそれぞれ、固定的に割り当てられている。
【０００６】
図９は、従来の移報入出力用接点基板ＴＢ１１を使用した場合における移報入出力動作を示すフローチャートである。
【０００７】
イニシャル処理を行い（Ｓ４１）、端末機器、操作スイッチ等によって火災受信機に状態変化があれば（Ｓ４２）、その状態変化に割り当てられている出力用接点のリレーを付勢し、接点出力する（Ｓ４３）。一方、接点入力があれば（Ｓ４４）、該当する接点入力に応じた制御動作を実行する（Ｓ４５）。
【０００８】
たとえば、火災受信機内で復旧スイッチを操作すると、移報入出力用接点基板ＴＢ１１に設けられている移報接点を介して、復旧出力信号が出力される。
【０００９】
また、火災断定入力信号が、移報入出力用接点基板ＴＢ１１に設けられている入力接点を介して、火災受信機に入力されると、火災断定処理を行う。
【特許文献１】特開平０７-１８２５９０号公報
【発明の開示】
【発明が解決しようとする課題】
【００１０】
上記のように、従来の移報入出力用接点基板ＴＢ１１では、複数の移報出力信号用接点のそれぞれの機能が、プログラムにより固定的に割り当てられている。したがって、火災受信機から各情報を出力する場合に備えて、移報出力信号毎に、専用の接点が入出力接点基板ＴＢ１１に設けられている。
【００１１】
火災受信機の設置場所によっては、上記移報出力信号のうちで、使用しない信号がある。つまり、移報出力信号の中には、使用頻度の低い信号が多くあり、全ての移報出力信号について、移報出力用接点を設けると、装置が複雑になり、また大型になるという問題がある。また、コスト的にも高価であるという問題がある。
【００１２】
この問題は、移報入力用接点についても、同様である。
【００１３】
また、上記従来例では、入出力接点基板における個々の接点の機能が、固定的に割り当てられているので、現場からの要望で、入出力接点の機能を変更する場合、上記割り当てを変更するプログラムを特注で作成する必要があるという問題がある。
【００１４】
本発明は、火災受信機を省スペース化することができ、部品が少なく、コストダウンになる火災受信機を提供することを目的とするものである。
【課題を解決するための手段】
【００１５】
本発明は、火災受信機の外部に移報出力する複数の出力用接点と、火災受信機の外部から移報入力する複数の入力用接点と、複数の移報情報のそれぞれが、上記複数の出力用接点のそれぞれに割り振られ、また、複数の移報情報のそれぞれが、上記複数の入力用接点のそれぞれに割り振られているデータベースと、所定の移報情報を、上記データベースで割り振られている上記出力用接点を介して移報出力させ、また、所定の移報情報が入力された入力用接点と上記データベースとに応じて、上記入力された移報情報の内容を確認し、この確認された移報情報の内容に応じた処理を実行する制御手段とを有する火災受信機である。
【発明の効果】
【００１６】
本発明によれば、火災受信機を省スペース化することができ、部品が少なく、コストダウンになるという効果を奏する。
【発明を実施するための最良の形態】
【００１７】
発明を実施するための最良の形態は、以下の実施例である。
【実施例１】
【００１８】
図１は、本発明の実施例１である火災受信機ＲＥ１を含む火災報知設備ＦＡ１のシステム構成を示すブロック図である。
【００１９】
火災報知設備ＦＡ１は、端末として、差動式スポット型感知器ＳＥ１と、光電式スポット型感知器ＳＥ２と、熱アナログ感知器ＳＥ３と、光電式アナログ感知器ＳＥ４と、アドレッサブル発信機ＳＥ５と、ショートサーキットアイソレータＳＣＩと、防排煙制御用中継器Ｃ１と、火災監視用中継器Ｃ２、Ｃ３、Ｃ８と、地区音響制御用中継器Ｃ４と、ガス漏れ検知用中継器Ｃ５と、防排煙制御用中継器Ｃ６と、中継器Ｃ７とを有する。これらは、伝送線（１系統）を介して、火災受信機ＲＥ１に接続されている。
【００２０】
また、火災報知設備ＦＡ１は、メッセージ表示機Ｄ１、Ｄ２、〜、Ｄ３１と、ディスプレイシステムＤＰ１、および各中継器に接続される機器として、一般型感知器ＳＥ６、ＳＥ７、ＳＥ８と、ガス漏れ検知器ＳＥ９と、Ｐ型発信機Ｇ１、Ｇ２と、地区ベルＢＬと、防排煙機器（設備）ＤＳ１、ＤＳ２とを有する。
【００２１】
差動式スポット型感知器ＳＥ１は、いわゆる熱感知器であって、火災による熱（温度上昇）を検出して火災と判別されるときに、火災信号を送信する。光電式スポット型感知器ＳＥ２は、いわゆる煙感知器であって、火災による煙を検出して火災と判別されるときに、火災信号を送信する。熱アナログ感知器ＳＥ３は、熱感知器の一種であって、火災による熱を検出するために、周囲温度のアナログ値を送信する。
【００２２】
光電式アナログ感知器ＳＥ４は、煙感知器の一種であって、煙のアナログ値を送信する。アドレッサブル発信機ＳＥ５は、いわゆる火災発信機であって、火災の発見者が手動操作する押しボタンを備え、火災信号を送信する。
【００２３】
ショートサーキットアイソレータＳＣＩは、後段の伝送線の短絡発生時に、後段の伝送線を切り離す装置であって、通常、信号伝送の必要はないが、火災受信機ＲＥ１からの復旧信号を受信し、復旧するものもある。ここでは、後段の伝送線の短絡解消時に、回復信号を送信する。
【００２４】
防排煙制御用中継器Ｃ１は、火災受信機ＲＥ１からの制御信号を受信して、接続される防排煙機器ＤＳ１を制御する。火災監視用中継器Ｃ２、Ｃ３は、信号線を介して一般型感知器または火災発信機が接続され、それらからの火災信号（スイッチング動作）を受信し、火災信号を送信する。火災監視用中継器Ｃ２は、自動試験機能付火災感知器を接続することができる。
【００２５】
地区音響制御用中継器Ｃ４は、火災受信機ＲＥ１からの制御信号を受信して、接続されている地区ベルＢＬを鳴動させる。ガス漏れ検知用中継器Ｃ５は、信号線を介してガス漏れ検知器ＳＥ９が接続され、信号（スイッチング動作）を受信して、ガス漏れ信号を送信する。
【００２６】
防排煙制御用中継器Ｃ６は、防排煙制御用中継器Ｃ１と同様である。中継器Ｃ７は、従来の中継器である。火災監視用中継器Ｃ８は、火災監視用中継器Ｃ３と同様である。
【００２７】
図２は、火災受信機ＲＥ１を示すブロック図である。
【００２８】
火災受信機ＲＥ１は、ＰＳＵ基板１０と、プリンタＰＲ１と、ＯＰＯ基板Ｂ１と、ＯＰＩＮ基板Ｂ２と、ＯＰＰＳ基板Ｂ３、Ｂ４と、ＮＩＵ基板（ホスト接続用基板）Ｂ５と、ＭＣＵ基板２０と、スピーカＳＰ１と、インバータＩＮＶ１と、タッチパネルＴＰとして作用するＬＣＤ３０と、電話ジャックＪ１と、ＣＴＵ基板（伝送基板）Ｂ６〜Ｂｎと、ＡＣ／ＤＣ電源ＡＣ／ＤＣと、予備電源ＢＴとを有する。
【００２９】
ＰＳＵ基板１０は、ＡＣ／ＤＣ電源ＡＣ／ＤＣとしてのＡＣ／ＤＣコンバータによってＡＣ１００Ｖから生成された直流電圧、ＤＣ２４Ｖを各基板１０、２０、Ｂ３〜Ｂｎに電源供給する基板であり、また、ＯＰＯ基板Ｂ１、ＯＰＩＮ基板Ｂ２に対して、移報を制御する基板である。ＭＣＵ基板２０は、主制御ユニット基板であり、表示部・メイン処理用の基板であり、スロットＳＬ１を介して、メモリカードＭＣ１が挿入、接続される。ＯＰＯ基板Ｂ１は、移報出力用のオプション基板である。ＯＰＩＮ基板Ｂ２は、移報入力用のオプション基板である。
【００３０】
ＯＰＰＳ基板Ｂ３、Ｂ４は、端末の電源供給用基板であり、中継器Ｃ１〜Ｃ８の２次側に接続された端末（たとえば地区ベルＢＬ）に電源を供給する基板である。ＮＩＵ基板Ｂ５は、ホスト接続用基板であり、ホスト伝送線を介して、ディスプレイシステムＤＰ１と接続される基板である。
【００３１】
インバータＩＮＶ１は、ＬＣＤ３０のバックライトを駆動する電源を制御するものである。
【００３２】
タッチパネルＴＰとして作用するＬＣＤ３０は、入力および表示手段の例である。
【００３３】
ＣＴＵ基板Ｂ６〜Ｂｎは、端末と接続する伝送基板であり、２系統分の伝送線を制御する。
【００３４】
ＡＣ／ＤＣ電源ＡＣ／ＤＣは、商用交流電源ＡＣ１００Ｖを所定の直流電圧、ＤＣ２４Ｖの電源電圧に変換してＰＳＵ基板１０に出力するものである。予備電源ＢＴとしてのバッテリは、ＡＣ１００Ｖによって、ＰＳＵ基板１０、トランス、充電回路を介して常時充電され、ＡＣ１００Ｖの停電時に、ＡＣ／ＤＣ電源ＡＣ／ＤＣの代わりに、直流電圧ＤＣ２４ＶをＰＳＵ基板１０に供給する。
【００３５】
また、ＰＳＵ基板１０、ＭＣＵ基板２０、ＮＩＵ基板Ｂ５、ＣＴＵ基板Ｂ６〜Ｂｎは、上記電源部の他に、Ａ／Ｄ変換部、ＲＯＭ、ＲＡＭを内部に有するマイコン（ＭＰＵ）が搭載されている。
【００３６】
図３は、ＰＳＵ基板１０における移報入出力用接点基板ＴＢ１と、ＯＰＯ基板Ｂ１における移報出力用接点基板ＴＢ２と、ＯＰＩＮ基板Ｂ２における移報入力用接点基板ＴＢ３とを示す図である。
【００３７】
図３（１）は、ＰＳＵ基板１０における移報入出力用接点基板ＴＢ１を示す図である。移報入出力用接点基板ＴＢ１には、ガスもれ出力信号、火災確認出力信号、故障一括出力信号が固定的に割り当てられている３個の移報出力用接点（固定出力用接点１〜３）と、データベースにおいて、各移報情報を設定することができる２個の移報出力用接点（オプション出力用接点１、２）と、データベースにおいて、各移報情報を設定することができる２個の移報入力用接点（オプション入力用接点１、２）とが設けられている。
【００３８】
図３（２）は、必要に応じて増設されるオプションのＯＰＯ基板Ｂ１において移報接点出力用基板ＴＢ２を示す図である。
【００３９】
移報接点出力用基板ＴＢ２には、データベースを変更することによって、各移報情報を設定することができる２個の移報出力用接点（オプション出力用接点３および４）が設けられている。
【００４０】
図３（３）は、必要に応じて増設されるオプションのＯＰＩＮ基板Ｂ２において移報入力用接点基板ＴＢ３を示す図である。
【００４１】
移報入力用接点基板ＴＢ３には、データベースを変更することによって、各移報情報を設定することができる１６個の移報入力用接点（オプション入力用接点３〜１８）が設けられている。
【００４２】
図４は、移報入出力に関連して、火災受信機ＲＥ１の要部を詳細に示すブロック図である。
【００４３】
ＭＣＵ基板２０は、ＭＰＵで構成されている第１の制御部２１、図７に示すフローチャートに対応するプログラムを格納するＲＯＭ２２と、ＲＡＭ２３と、オプション接点用途データベースを格納するメモリカードＭＣ１を接続する図２のスロットＳＬ１とを有し、ＣＴＵ基板Ｂ６〜Ｂｎを介して、図１に示す端末機器と接続され、また、図２に示すタッチパネルＴＰ等の操作スイッチからの操作入力が行われる。
【００４４】
ＰＳＵ基板１０は、ＭＰＵで構成されている第２の制御部１１と、図７に示すフローチャートに対応するプログラムを格納するＲＯＭ１２と、ＲＡＭ１３と、図３に示す固定出力用接点１〜３およびオプション出力用接点１、２にそれぞれ対応した接点出力回路ＯＵＴ１〜ＯＵＴ５と、オプション入力用接点１、２にそれぞれ対応した接点入力回路ＩＮ１、ＩＮ２とを有する。
【００４５】
接点出力回路ＯＵＴ１〜ＯＵＴ５は、固定出力用接点１〜３およびオプション出力用接点１、２から、それぞれ接点出力を行うための回路であり、それぞれの接点ｒ１〜ｒ５を付勢するリレーＲ１〜Ｒ５を有する。接点入力回路ＩＮ１、ＩＮ２は、オプション入力用接点１、２からの接点入力を検出する。
【００４６】
また、図示していないが、ＯＰＯ基板Ｂ１に対応する接点出力回路ＯＵＴ６〜７と、ＯＰＩＮ基板Ｂ２に対応する接点入力回路ＩＮ３〜１８とが設けられている。
【００４７】
図５は、オプション接点用途データベースへの移報接点入出力設定の動作を示すフローチャートである。
【００４８】
この設定動作は、ＤＢ（データベース）作成装置で行われ、この設定内容であるオプション接点用途データベースが、メモリカードＭＣ１に書き込まれる。
【００４９】
図５において、移報接点入力の設定を行うと判断すると（Ｓ１）、入力操作によって、複数の入力項目から、ＤＢ設定によって、オプション用の接点入力を割り振る（Ｓ２）。
【００５０】
この割り振ることができる接点入力の設定項目（移報情報）は、「ヒューズ断入力」と、「外部電源異常入力」と、「火災断定入力」と、「相互電話入力」と、「連動遮断入力」と、「スイッチ入力」とである。
【００５１】
上記「ヒューズ断入力」は、火災受信機ＲＥ１の外部に接続する電源のヒューズが溶断したことを入力する移報情報である。上記「外部電源異常入力」は、外部に接続する電源が異常であることを入力する移報情報である。上記「火災断定入力」は、外部ＳＷで火災断定されたことを入力する移報情報である。上記「相互電話入力」は、相互電話が行われていることを入力する移報情報である。上記「連動遮断入力」は、外部で連動遮断ＳＷを使用し、この状態をＳＷ入力する移報情報である。上記「スイッチ入力」は、スイッチ入力で指定した機器を動作させたことを入力する移報情報である。
【００５２】
そして、他にも移報接点入力の設定を行い（Ｓ３）、設定可能点数の上限（１８点）であり（Ｓ４）、しかも、移報接点出力の設定を行うのであれば（Ｓ１１）、入力操作によって、複数の出力項目から、ＤＢ設定によって、オプション用の接点出力を割り振る（Ｓ１２）。
【００５３】
上記割り振ることができる接点出力の設定項目（移報情報）は、「地区音響停止中出力」と、「試験中出力」と、「連動遮断中出力」と、「スイッチ注意中出力」と、「復旧中移出力」と、「停電出力」と、「非常放送中出力」と、「火災断定中出力」と、「注意警報中出力」と、「蓄積中出力」と、「レベル注意警報出力」と、「出力値注意警報中出力」とである。
【００５４】
上記「地区音響停止中出力」は、受信機の地区音響停止中を出力する移報情報である。
【００５５】
上記「試験中出力」は、受信機の試験中を出力する移報情報である。上記「連動遮断中出力」は、受信機の連動遮断中を出力する移報情報である。上記「スイッチ注意中出力」は、受信機のスイッチ注意中を出力する移報情報である。上記「復旧中移出力」は、受信機の復旧中を出力する移報情報である。上記「停電出力」は、受信機の停電を出力する移報情報である。
【００５６】
上記「非常放送中出力」は、受信機の非常放送中を出力する移報情報である。上記「火災断定中出力」は、受信機の火災断定中を出力する移報情報である。上記「注意警報中出力」は、受信機の注意警報中を出力する移報情報である。上記「蓄積中出力」は、受信機の蓄積中を出力する移報情報である。上記「レベル注意警報出力」は、受信機のレベル注意警報を出力する移報情報である。上記「出力値注意警報中出力」は、受信機の出力値注意警報中を出力する移報情報である。
【００５７】
そして、他にも移報接点出力の設定を行い（Ｓ１３）、設定可能点数の上限（４点）であれば（Ｓ１４）、終了する。この終了に際して、各オプション接点（オプション出力用接点１〜４、オプション入力用接点１〜１６）に設定された移報情報を、オプション接点用途データベースとしてメモリカードＭＣ１に書き込む。
【００５８】
図６は、メモリカードＭＣ１に格納されているオプション接点用途データベースの設定例を示す図である。
【００５９】
この設定例は、ＰＳＵ基板１０に関連するオプション接点のみについて、移報情報が設定されている例であり、オプション接点と、このオプション接点に設定されている移報情報との関係を示す例である。
【００６０】
図７は、移報入出力動作を示すフローチャートである。
【００６１】
移報を必要とする状態が生じると、その情報に該当する接点を、データベースから選択し、その出力用接点から出力動作させる。
【００６２】
また、通常動作の中で、移報情報が入力されれば、この移報情報が入力された接点の役割（移報情報の内容）を、データベースから判別し、この判別された移報情報に応じた動作として、表示動作等を行う。
【００６３】
たとえば、図６に示すようにデータベースが設定されている場合、復旧スイッチが操作入力されると、図６に示すデータベースを参照し、復旧スイッチが操作された場合にはオプション出力用接点１を使用することが分かり、オプション出力用接点１から復旧中出力を行う。一方、オプション入力用接点１に移報情報が入力されると、図６に示すデータベースを参照し、オプション入力用接点１には火災断定が入力されることが分かり、火災断定処理を実行する。
【００６４】
なお、ＭＣＵ基板２０の制御部２１と、ＰＳＵ基板１０の制御部１１とが制御するが、ＭＣＵ基板２０とＰＳＵ基板１０とを一体し、１つの制御部（ＭＰＵ）が制御するようにしてもよい。
【００６５】
図７（１）は、ＭＣＵ基板２０の動作を示すフローチャートである。
【００６６】
イニシャル処理を行い（Ｓ２１）、メモリカードＭＣ１に格納されているオプション接点用途データベースを読み込み（Ｓ２２）、上記データベースをＲＡＭ２３に記憶する（Ｓ２３）。
【００６７】
端末機器、操作スイッチ等によって火災受信機の状態が変化し（Ｓ２４）、上記状態変化が、上記データベースに設定されていれば（Ｓ２５）、該当するオプション接点リレーＲのリレー制御命令を、ＰＳＵ基板１０に送出する（Ｓ２６）。
【００６８】
ＰＳＵ基板１０からの接点入力情報があれば（Ｓ２７）、該当する接点入力情報を、上記データベースから検索し（Ｓ２８）、この検索された情報に従った制御動作を行う（Ｓ２９）。
【００６９】
図７（２）は、ＰＳＵ基板１０の動作を示すフローチャートである。
【００７０】
イニシャル処理を行い（Ｓ３１）、ＭＣＵ基板２０からのリレー制御命令があれば（Ｓ３２）、該当するリレーＲを付勢し、接点出力する（Ｓ３３）。接点入力があれば（Ｓ３４）、ＭＣＵ基板２０に接点入力情報を送出する（Ｓ３５）。
【００７１】
火災受信機の移報入出力について、情報毎に接点を用意しても、常に全てを使用するのではないが、上記実施例では、ハードウェアとしてフリーの接点を設け、個々の接点に、どの情報を入力または出力するかを選択し、データベースに設定する。
【００７２】
したがって、上記実施例によれば、現場で必要とする用途だけを選別し、設定すれば足りるので、入出力接点（ハードウェア）の数を削減することができる。
【００７３】
また、移報の数を多く必要とする場合には、オプションとして、ＯＰＯ基板Ｂ１、ＯＰＩＮ基板Ｂ２等の接点を追加して対応すればよい。
【図面の簡単な説明】
【００７４】
【図１】本発明の実施例１である火災受信機ＲＥ１を含む火災報知設備ＦＡ１のシステム構成を示すブロック図である。
【図２】火災受信機ＲＥ１を示すブロック図である。
【図３】ＰＳＵ基板１０における移報入出力用接点基板ＴＢ１と、ＯＰＯ基板Ｂ１における移報出力用接点基板ＴＢ２と、ＯＰＩＮ基板Ｂ２における移報入力用接点基板ＴＢ３とを示す図である。
【図４】移報入出力に関連して、火災受信機ＲＥ１の要部を詳細に示すブロック図である。
【図５】オプション接点用途データベースへの移報接点入出力設定の動作を示すフローチャートである。
【図６】メモリカードＭＣ１に格納されているオプション接点用途データベースの設定例を示す図である。
【図７】移報入出力動作を示すフローチャートである。
【図８】従来の移報入出力用接点基板ＴＢ１１を示す図である。
【図９】従来の移報入出力用接点基板ＴＢ１１を使用した場合における移報入出力動作を示すフローチャートである。
【符号の説明】
【００７５】
ＦＡ１…火災報知設備、
ＲＥ１…火災受信機、
１０…ＰＳＵ基板、
１１…制御部、
ＢＴ１…ＰＳＵ基板１０における移報入出力用接点基板、
２０…ＭＣＵ基板、
２１…制御部、
ＴＢ２…ＯＰＯ基板Ｂ１における移報出力用接点基板、
ＴＢ３…ＯＰＩＮ基板Ｂ２における移報入力用接点基板、
ＳＬ１…スロット、
ＭＣ１…メモリカード、
３０…ＬＣＤ。
【図１】
2007323194.tif 000003
【図２】
2007323194.tif 000004
【図３】
2007323194.tif 000005
【図４】
2007323194.tif 000006
【図５】
2007323194.tif 000007
【図６】
2007323194.tif 000008
【図７】
2007323194.tif 000009
【図８】
2007323194.tif 000010
【図９】
2007323194.tif 000011